【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
撮影手段によって撮影された撮影映像内の領域の設定を受け付ける受付手段と、
前記撮影手段によって撮影された撮影映像に基づく配信映像を配信する配信手段と、を備え、
前記配信手段は、前記撮影手段の撮影方向に基づいて特定される前記配信映像の位置を示す情報と、前記撮影手段の撮影方向に基づいて特定される前記配信映像の位置を基準とした、前記設定によって設定された領域の相対的な位置を示す情報とを配信することを特徴とする撮像装置。
【請求項２】
前記配信手段は、前記配信映像を特定する情報を更に配信することを特徴とする請求項１に記載の撮像装置。
【請求項３】
前記配信手段は、前記領域のサイズを示す情報を更に配信することを特徴とする請求項１または２に記載の撮像装置。
【請求項４】
前記配信手段は、前記領域の位置が変更されると、前記変更により更新された位置を示す情報を配信することを特徴とする請求項１乃至３のいずれか１項に記載の撮像装置。
【請求項５】
前記受付手段は、前記撮影映像から切り出す領域の設定を受け付けることを特徴とする請求項１乃至４のいずれか１項に記載の撮像装置。
【請求項６】
前記配信手段は、前記撮影映像から切り出された複数の切り出し映像を配信し、
前記配信手段は、前記複数の切り出し映像の１つを選択し、前記選択された切り出し映像の、前記撮影方向に基づいて特定される位置を示す情報と、他の切り出し映像の、前記選択された切り出し映像を基準とした相対的な位置を示す情報とを配信することを特徴とする請求項１乃至５のいずれか１項に記載の撮像装置。
【請求項７】
前記受付手段は、前記撮影映像内の重畳画像の領域の設定を受け付けることを特徴とする請求項１乃至３のいずれか１項に記載の撮像装置。
【請求項８】
前記受付手段は、画像解析を行う領域の設定を受け付けることを特徴とする請求項１乃至３のいずれか１項に記載の撮像装置。
【請求項９】
撮影手段を有する撮像装置の配信方法であって、
受付手段が、前記撮影手段によって撮影された撮影映像内の領域の設定を受け付ける受付工程と、
配信手段が、前記撮影手段によって撮影された撮影映像に基づく配信映像を配信する映像配信工程と、
前記配信手段が、前記撮影手段の撮影方向に基づいて特定される前記配信映像の位置を示す情報と、前記撮影手段の撮影方向に基づいて特定される前記配信映像の位置を基準とした、前記設定によって設定された領域の相対的な位置を示す情報とを配信する情報配信工程と、
を有することを特徴とする撮像装置の配信方法。
【請求項１０】
前記配信手段が、前記情報配信工程で、前記配信映像を特定する情報を更に配信することを特徴とする請求項９に記載の撮像装置の配信方法。
【請求項１１】
前記配信手段が、前記情報配信工程で、前記領域のサイズを示す情報を更に配信することを特徴とする請求項９または１０に記載の撮像装置の配信方法。
【請求項１２】
前記配信手段が、前記領域の位置が変更されると、前記変更により更新された位置を示す情報を配信することを特徴とする請求項９乃至１１のいずれか１項に記載の撮像装置の配信方法。
【請求項１３】
前記配信手段が、前記映像配信工程で、前記撮影映像から切り出された複数の切り出し映像を配信し、
前記配信手段が、前記情報配信工程で、前記複数の切り出し映像の１つを選択し、前記選択された切り出し映像の、前記撮影方向に基づいて特定される位置を示す情報と、他の切り出し映像の、前記選択された切り出し映像を基準とした相対的な位置を示す情報とを配信することを特徴とする請求項９乃至１２のいずれか１項に記載の撮像装置の配信方法。
【請求項１４】
情報処理装置と撮像装置とを有する撮像システムであって、
前記撮像装置は、
撮影手段によって撮影された撮影映像内の領域の設定を受け付ける受付手段と、
前記撮影手段によって撮影された撮影映像に基づく配信映像を前記情報処理装置に配信する配信手段と、を備え、
前記配信手段は、前記撮影手段の撮影方向に基づいて特定される前記配信映像の位置を示す情報と、前記撮影手段の撮影方向に基づいて特定される前記配信映像の位置を基準とした、前記設定によって設定された領域の相対的な位置を示す情報とを前記情報処理装置に配信し、
前記情報処理装置は、前記配信映像と、前記配信映像の位置を示す情報と、前記領域の相対的な位置を示す情報とを受信して、前記領域の位置を特定することを特徴とする撮像システム。
【請求項１５】
前記配信手段は、前記配信映像を特定する情報を更に配信することを特徴とする請求項１４に記載の撮像システム。
【請求項１６】
前記配信手段は、前記領域のサイズを示す情報を更に配信することを特徴とする請求項１４または１５に記載の撮像システム。
【請求項１７】
前記配信手段は、前記領域の位置が変更されると、前記変更により更新された位置を示す情報を配信することを特徴とする請求項１４乃至１６のいずれか１項に記載の撮像システム。
【請求項１８】
前記配信手段は、前記撮影映像から切り出された複数の切り出し映像を配信し、
前記配信手段は、前記複数の切り出し映像の１つを選択し、前記選択された切り出し映像の、前記撮影方向に基づいて特定される位置を示す情報と、他の切り出し映像の、前記選択された切り出し映像を基準とした相対的な位置を示す情報とを配信し、
前記情報処理装置は、前記特定される位置を示す情報と前記相対的な位置を示す情報とを受信し、前記他の切り出し映像の位置を特定することを特徴とする請求項１４乃至１７のいずれか１項に記載の撮像システム。
【請求項１９】
コンピュータを、請求項１乃至８のいずれか１項に記載の撮像装置の各手段として記載させるためのプログラム。
【手続補正２】
【補正対象書類名】明細書
【補正対象項目名】発明の名称
【補正方法】変更
【補正の内容】
【発明の名称】撮像装置、撮像装置の配信方法、撮像システムおよびプログラム
【手続補正３】
【補正対象書類名】明細書
【補正対象項目名】０００１
【補正方法】変更
【補正の内容】
【０００１】
本発明は、撮像装置、撮像装置の配信方法、撮像システムおよびプログラムに関する。
【手続補正４】
【補正対象書類名】明細書
【補正対象項目名】０００６
【補正方法】変更
【補正の内容】
【０００６】
しかしながら、上述の特許文献１に開示された従来技術では、相対位置情報と付加情報を端末装置に送信しているが絶対位置情報に関しては端末装置に送信されていない。また、カメラ装置（ネットワークカメラ）が付加情報として端末装置に送信する内容は、相対位置で表される画像に対する情報であり、絶対位置との関係を示すものではない。
【手続補正５】
【補正対象書類名】明細書
【補正対象項目名】０００７
【補正方法】変更
【補正の内容】
【０００７】
本発明は、設定された領域の位置を、撮影手段の撮影方向に基づいて特定される配信映像の位置に基づいて特定可能な撮像技術を提供する。
【手続補正６】
【補正対象書類名】明細書
【補正対象項目名】０００８
【補正方法】変更
【補正の内容】
【０００８】
上記の目的を達成する本発明の一つの側面に係る撮像装置は、撮影手段によって撮影された撮影映像内の領域の設定を受け付ける受付手段と、前記撮影手段によって撮影された撮影映像に基づく配信映像を配信する配信手段と、を備え、前記配信手段は、前記撮影手段の撮影方向に基づいて特定される前記配信映像の位置を示す情報と、前記撮影手段の撮影方向に基づいて特定される前記配信映像の位置を基準とした、前記設定によって設定された領域の相対的な位置を示す情報とを配信することを特徴とする。
【手続補正７】
【補正対象書類名】明細書
【補正対象項目名】０００９
【補正方法】変更
【補正の内容】
【０００９】
本発明によれば、設定された領域の位置を、撮影手段の撮影方向に基づいて特定される配信映像の位置に基づいて特定可能になる。
【手続補正８】
【補正対象書類名】明細書
【補正対象項目名】００１８
【補正方法】変更
【補正の内容】
【００１８】
クライアントが要求している映像データに関する設定情報の変更、更新が生じた場合の配信制御部２０７の処理の流れを図３のフローチャートを用いて説明する。配信制御部２０７は、画像処理部２０４によって任意のサイズ、位置で切り出された部分映像データを、符号化処理部２０６の処理を介して、配信を要求したクライアントのすべてに対して配信する。複数のクライアントから配信の要求を受け付けた場合、それぞれのクライアントからの配信要求を受け付けたタイミングに応じて、配信制御部２０７は映像データを各クライアントに配信する。
【手続補正９】
【補正対象書類名】明細書
【補正対象項目名】００４９
【補正方法】変更
【補正の内容】
【００４９】
また、全体映像データの絶対座標系を基に、切り出し映像データの相対位置情報を表現することできる。複数の座標系に依存せずに各切り出し映像データを表すことができる。このため、複数の切り出し映像データが全体映像データ中に含まれる場合であっても、複数の切り出し映像データそれぞれの座標系に依存せずに、全体映像データにおける切り出し映像データの相対的な位置関係を示すことが可能となる。